(57)【要約】【課題】カードに個人情報を印字する前にカードの種類を判別することによって、カードの誤発行を防止する。【解決手段】カード発行装置１は、ホストコンピュータ２から、カード保有者の個人情報を印字するための印字情報を取得し、その取得された印字情報からカードの種類を抽出し、その抽出された種類に対応する生カード５をカード収納部２０から搬送ベルト上に引き出す。そして、リーダライタ３０により、生カード５のＩＣメモリに記録されたカード種情報を読出し、読み出されたカード種情報と、印字情報から抽出されたカード種情報が等しいか否かを判定する。生カード５のカード種情報と、印字情報から抽出されたカード種情報が一致しない場合、生カード５の取り出しを促すメッセージが表示部１２に表示される。カード種情報が一致する場合は、生カード５に個人情報の印字処理が行われる。【選択図】図３
2005145007.tif 000002
【特許請求の範囲】
【請求項１】
カードの種類別にカードを収納するカード収納部と、
カードにカード保有者の個人情報を印字するための印字情報を取得する取得手段と、
前記取得手段により取得された印字情報から、カードの種類を抽出する抽出手段と、
前記抽出手段により抽出された種類に対応するカードを前記カード収納部から引き出す引出手段と、
前記引出手段により引き出されたカードの種類を検出する検出手段と、
前記抽出されたカードの種類と、前記検出手段により検出されたカードの種類が等しいか否かを判定する判定手段と、
前記判定手段により、前記抽出されたカードの種類と前記検出されたカードの種類が異なると判定された場合、前記引き出されたカードの取り出しを促すメッセージを通知する通知手段と、
前記判定手段により、前記抽出されたカードの種類と前記検出されたカードの種類が等しいと判定された場合、前記引き出されたカードに対する印字処理を行う印字手段と、
を備えることを特徴とするカード発行装置。
【請求項２】
カードの種類別にカードを収納するカード収納部と、
カードにカード保有者の個人情報を印字するための印字情報を取得する取得手段と、
前記取得手段により取得された印字情報から、カードの種類を抽出する抽出手段と、
前記抽出手段により抽出された種類に対応するカードを前記カード収納部から引き出す引出手段と、
前記引出手段により引き出されたカードの種類を検出する検出手段と、
前記抽出されたカードの種類と、前記検出手段により検出されたカードの種類が等しいか否かを判定する判定手段と、
前記判定手段により、前記抽出されたカードの種類と前記検出されたカードの種類が異なると判定された場合、前記引き出されたカードを排出する排出手段と、
前記判定手段により、前記抽出されたカードの種類と前記検出されたカードの種類が等しいと判定された場合、前記引き出されたカードに対する印字処理を行う印字手段と、
を備えることを特徴とするカード発行装置。
【請求項３】
カードの種類別にカードを収納するカード収納部と、
カードにカード保有者の個人情報を印字するための印字情報を取得する取得手段と、
前記取得手段により取得された印字情報から、カードの種類を抽出する第１の抽出手段と、
前記第１の抽出手段により抽出された種類に対応するカードを、前記カード収納部からカードの搬送路に引き出す引出手段と、
前記引出手段により引き出されたカードの種類を検出する検出手段と、
前記第１の抽出手段により抽出されたカードの種類と、前記検出手段により検出されたカードの種類が等しいか否かを判定する第１の判定手段と、
前記第１の判定手段により、前記第１の抽出手段により抽出されたカードの種類と、前記検出されたカードの種類が等しいと判定された場合、前記引き出されたカードに対する印字処理を行う印字手段と、
前記第１の判定手段により、前記第１の抽出手段により抽出されたカードの種類と、前記検出されたカードの種類が等しくないと判定された場合、前記引き出されたカードを、前記搬送路上の所定位置に停止させる停止手段と、
前記第１の判定手段により、前記第１の抽出手段により抽出されたカードの種類と、前記検出されたカードの種類が等しくないと判定された場合、前記検出されたカードの種類を示すデータを記憶する記憶手段と、
前記第１の判定手段により、前記第１の抽出手段により抽出されたカードの種類と、前記検出されたカードの種類が等しくないと判定された場合、前記取得手段により次の印字情報を取得し、その取得された印字情報からカードの種類を抽出する第２の抽出手段と、
前記第２の抽出手段により抽出されたカードの種類と、前記記憶手段に記憶されたカードの種類が等しいか否かを判定する第２の判定手段と、
前記第２の判定手段により、前記第２の抽出手段により抽出されたカードの種類と、前記記憶されたカードの種類が等しいと判定された場合、前記所定位置に停止されたカードの搬送を再開する搬送制御手段と、を備え、
前記搬送制御手段によりカードの搬送が再開されると、前記印字手段は、当該カードに対する印字処理を行うことを特徴とするカード発行装置。
【請求項４】
前記第１の判定手段により、前記第１の抽出手段により抽出されたカードの種類と前記検出されたカードの種類が等しくないと判定された場合、前記停止されたカードの停止時間を計時する計時手段と、
前記第２の判定手段により、前記第２の抽出手段により抽出されたカードの種類と、前記記憶されたカードの種類が異なると判定された場合、前記停止時間が予め設定された時間を超えたか否かを判定する停止時間判定手段と、
前記停止時間判定手段により前記停止時間が予め設定された時間を超えたと判定された場合、前記停止中のカードを排出する排出手段と、を備え、
前記停止時間判定手段により前記停止時間が予め設定された時間内であると判定された場合、前記取得手段により次の印字情報が取得され、前記第２の抽出手段、前記第２の判定手段の各処理が繰り返されることを特徴とする請求項３に記載のカード発行装置。
【請求項５】
カードの種類別にカードを収納するカード収納部と、
カードにカード保有者の個人情報を印字するための印字情報を取得する取得手段と、
前記取得手段により取得された印字情報から、カードの種類を抽出する第１の抽出手段と、
前記第１の抽出手段により抽出された種類に対応するカードを、前記カード収納部からカードの搬送路に引き出す引出手段と、
前記引出手段により引き出されたカードの種類を検出する検出手段と、
前記第１の抽出手段により抽出されたカードの種類と、前記検出手段により検出されたカードの種類が等しいか否かを判定する第１の判定手段と、
前記第１の判定手段により、前記第１の抽出手段により抽出されたカードの種類と、前記検出されたカードの種類が等しいと判定された場合、前記引き出されたカードに対する印字処理を行う印字手段と、
前記第１の判定手段により、前記第１の抽出手段により抽出されたカードの種類と、前記検出されたカードの種類が等しくないと判定された場合、前記引き出されたカードを、前記搬送路から離れた所定箇所に退避させる退避手段と、
前記第１の判定手段により、前記第１の抽出手段により抽出されたカードの種類と、前記検出されたカードの種類が等しくないと判定された場合、前記検出されたカードの種類を示すデータを記憶する記憶手段と、
前記第１の判定手段により、前記第１の抽出手段により抽出されたカードの種類と、前記検出されたカードの種類が等しくないと判定された場合、前記取得手段により次の印字情報を取得し、その取得された印字情報からカードの種類を抽出する第２の抽出手段と、
前記第２の抽出手段により抽出されたカードの種類と、前記記憶手段に記憶されたカードの種類が等しいか否かを判定する第２の判定手段と、
前記第２の判定手段により、前記第２の抽出手段により抽出されたカードの種類と、前記記憶されたカードの種類が等しいと判定された場合、前記所定箇所に退避されたカードを前記搬送路上に戻し、当該カードの搬送を再開する搬送制御手段と、を備え、
前記搬送制御手段によりカードの搬送が再開されると、前記印字手段は、当該カードに対する印字処理を行うことを特徴とするカード発行装置。
【請求項６】
前記第１の判定手段により、前記第１の抽出手段により抽出されたカードの種類と前記検出されたカードの種類が等しくないと判定された場合、前記取得手段により次の印字情報が取得され、前記第１の抽出手段、前記引出手段、前記検出手段、前記第１の判定手段、前記印字手段の各処理が繰り返されることを特徴とする請求項５に記載のカード発行装置。
【請求項７】
前記所定箇所にカードが退避中に、前記印字手段により印字処理されたカードの枚数を計数する計数手段と、
前記所定箇所にカードが退避中に、前記印字手段により印字処理されたカードの枚数が、予め設定された枚数を超えたか否かを判定する第３の判定手段と、
前記第３の判定手段により、前記印字処理されたカードの枚数が予め設定された枚数を超えたと判定された場合、前記所定箇所に退避中のカードを排出する排出手段と、
を備えることを特徴とする請求項６に記載のカード発行装置。
【請求項８】
前記カード収納部に収納されている各カードにはＩＣメモリが備えられ、当該ＩＣメモリに、予めカードの種類を示す情報が記録されており、
前記検出手段は、前記引き出されたカードのＩＣメモリからカードの種類を読み取ることを特徴とする請求項１〜７の何れか一項に記載のカード発行装置。
【請求項９】
前記検出手段によって、前記引き出されたカードのＩＣメモリからカードの種類を読み取った後、当該ＩＣメモリに記録されたカードの種類を示す情報を消去する消去手段を備えることを特徴とする請求項８に記載のカード発行装置。
【請求項１０】
カードにカード保有者の個人情報を印字するための印字情報を取得する取得工程と、
前記取得工程において取得された印字情報から、カードの種類を抽出する抽出工程と、
カードの種類別にカードを収納するカード収納部から、前記抽出工程において抽出された種類に対応するカードを引き出す引出工程と、
前記引出工程において引き出されたカードの種類を検出する検出工程と、
前記抽出されたカードの種類と、前記検出工程において検出されたカードの種類が等しいか否かを判定する判定工程と、
前記判定工程において、前記抽出されたカードの種類と前記検出されたカードの種類が異なると判定された場合、前記引き出されたカードの取り出しを促すメッセージを通知する通知工程と、
前記判定工程において、前記抽出されたカードの種類と前記検出されたカードの種類が等しいと判定された場合、前記引き出されたカードに対する印字処理を行う印字工程と、
を含むことを特徴とするカード発行方法。
【請求項１１】
カードにカード保有者の個人情報を印字するための印字情報を取得する取得工程と、
前記取得工程において取得された印字情報から、カードの種類を抽出する抽出工程と、
カードの種類別にカードを収納するカード収納部から、前記抽出工程において抽出された種類に対応するカードを引き出す引出工程と、
前記引出工程において引き出されたカードの種類を検出する検出工程と、
前記抽出されたカードの種類と、前記検出工程において検出されたカードの種類が等しいか否かを判定する判定工程と、
前記判定工程において、前記抽出されたカードの種類と前記検出されたカードの種類が異なると判定された場合、前記引き出されたカードを排出する排出工程と、
前記判定工程において、前記抽出されたカードの種類と前記検出されたカードの種類が等しいと判定された場合、前記引き出されたカードに対する印字処理を行う印字工程と、
を含むことを特徴とするカード発行方法。
【請求項１２】
カードにカード保有者の個人情報を印字するための印字情報を取得する取得工程と、
前記取得工程において取得された印字情報から、カードの種類を抽出する第１の抽出工程と、
カードの種類別にカードを収納するカード収納部から、前記第１の抽出工程において抽出された種類に対応するカードをカードの搬送路に引き出す引出工程と、
前記引出工程において引き出されたカードの種類を検出する検出工程と、
前記第１の抽出工程において抽出されたカードの種類と、前記検出工程において検出されたカードの種類が等しいか否かを判定する第１の判定工程と、
前記第１の判定工程において、前記第１の抽出工程において抽出されたカードの種類と、前記検出されたカードの種類が等しいと判定された場合、前記引き出されたカードに対する印字処理を行う印字工程と、
前記第１の判定工程において、前記第１の抽出工程において抽出されたカードの種類と、前記検出されたカードの種類が等しくないと判定された場合、前記引き出されたカードを、前記搬送路上の所定位置に停止させる停止工程と、
前記第１の判定工程において、前記第１の抽出工程において抽出されたカードの種類と、前記検出されたカードの種類が等しくないと判定された場合、前記検出されたカードの種類を示すデータを記憶する記憶工程と、
前記第１の判定工程において、前記第１の抽出工程において抽出されたカードの種類と、前記検出されたカードの種類が等しくないと判定された場合、前記取得工程において次の印字情報が取得され、その取得された印字情報からカードの種類を抽出する第２の抽出工程と、
前記第２の抽出工程において抽出されたカードの種類と、前記記憶工程に記憶されたカードの種類が等しいか否かを判定する第２の判定工程と、
前記第２の判定工程において、前記第２の抽出工程において抽出されたカードの種類と、前記記憶されたカードの種類が等しいと判定された場合、前記所定位置に停止されたカードの搬送を再開する搬送制御工程と、を含み、
前記搬送制御工程においてカードの搬送が再開されると、前記印字工程において、当該カードに対する印字処理が行われることを特徴とするカード発行方法。
【請求項１３】
前記第１の判定工程において、前記第１の抽出工程において抽出されたカードの種類と前記検出されたカードの種類が等しくないと判定された場合、前記停止されたカードの停止時間を計時する計時工程と、
前記第２の判定工程において、前記第２の抽出工程において抽出されたカードの種類と、前記記憶されたカードの種類が異なると判定された場合、前記停止時間が予め設定された時間を超えたか否かを判定する停止時間判定工程と、
前記停止時間判定工程において、前記停止時間が予め設定された時間を超えたと判定された場合、前記停止中のカードを排出する排出工程と、を含み、
前記停止時間判定工程において、前記停止時間が予め設定された時間内であると判定された場合、前記取得工程において次の印字情報が取得され、前記第２の抽出工程、前記第２の判定工程の各処理が繰り返されることを特徴とする請求項１２に記載のカード発行方法。
【請求項１４】
カードにカード保有者の個人情報を印字するための印字情報を取得する取得工程と、
前記取得工程において取得された印字情報から、カードの種類を抽出する第１の抽出工程と、
カードの種類別にカードを収納するカード収納部から、前記第１の抽出工程において抽出された種類に対応するカードをカードの搬送路に引き出す引出工程と、
前記引出工程において引き出されたカードの種類を検出する検出工程と、
前記第１の抽出工程において抽出されたカードの種類と、前記検出工程において検出されたカードの種類が等しいか否かを判定する第１の判定工程と、
前記第１の判定工程において、前記第１の抽出工程において抽出されたカードの種類と、前記検出されたカードの種類が等しいと判定された場合、前記引き出されたカードに対する印字処理を行う印字工程と、
前記第１の判定工程において、前記第１の抽出工程において抽出されたカードの種類と、前記検出されたカードの種類が等しくないと判定された場合、前記引き出されたカードを、前記搬送路から離れた所定箇所に退避させる退避工程と、
前記第１の判定工程において、前記第１の抽出工程において抽出されたカードの種類と、前記検出されたカードの種類が等しくないと判定された場合、前記検出されたカードの種類を示すデータを記憶する記憶工程と、
前記第１の判定工程において、前記第１の抽出工程において抽出されたカードの種類と、前記検出されたカードの種類が等しくないと判定された場合、前記取得工程において次の印字情報が取得され、その取得された印字情報からカードの種類を抽出する第２の抽出工程と、
前記第２の抽出工程において抽出されたカードの種類と、前記記憶工程に記憶されたカードの種類が等しいか否かを判定する第２の判定工程と、
前記第２の判定工程において、前記第２の抽出工程において抽出されたカードの種類と、前記記憶されたカードの種類が等しいと判定された場合、前記所定箇所に退避されたカードを前記搬送路上に戻し、当該カードの搬送を再開する搬送制御工程と、を含み、
前記搬送制御工程においてカードの搬送が再開されると、前記印字工程において、当該カードに対する印字処理が行われることを特徴とするカード発行方法。
【請求項１５】
前記第１の判定工程において、前記第１の抽出工程において抽出されたカードの種類と前記検出されたカードの種類が等しくないと判定された場合、前記取得工程において次の印字情報が取得され、前記第１の抽出工程、前記引出工程、前記検出工程、前記第１の判定工程、前記印字工程の各処理が繰り返されることを特徴とする請求項１４に記載のカード発行方法。
【請求項１６】
前記所定箇所にカードが退避中に、前記印字工程により印字処理されたカードの枚数を計数する計数工程と、
前記処理箇所にカードが退避中に、前記印字処理されたカードの枚数が、予め設定された枚数を超えたか否かを判定する第３の判定工程と、
前記第３の判定工程において、前記印字処理されたカードの枚数が予め設定された枚数を超えたと判定された場合、前記所定箇所に退避中のカードを排出する排出工程と、
を含むことを特徴とする請求項１５に記載のカード発行方法。
【請求項１７】
前記カード収納部に収納されている各カードにはＩＣメモリが備えられ、当該ＩＣメモリに、予めカードの種類を示す情報が記録されており、
前記検出工程において、前記引き出されたカードのＩＣメモリからカードの種類が読み取られることを特徴とする請求項１０〜１６の何れか一項に記載のカード発行方法。
【請求項１８】
前記検出工程において、前記引き出されたカードのＩＣメモリからカードの種類を読み取った後、当該ＩＣメモリに記録されたカードの種類を示す情報を消去する消去工程を含むことを特徴とする請求項１７に記載のカード発行方法。
【発明の詳細な説明】
【技術分野】
【０００１】
本発明は、カード発行装置及びカード発行方法に関する。
【背景技術】
【０００２】
社員証、免許証、各種会員証等のカードを発行するカード発行システムでは、各カードに個人情報（カード番号、氏名、有効期限等）を印字する前に、全てのカードに共通のデザイン等を印刷したカードを作成し、カード発行装置が備える複数のカードホルダーに、カードの種類毎に分別して収納している。カードを発行する際は、ホストコンピュータから指定されたカード種のカードホルダーに収納されたカードを引き出し、引き出されたカードに、ユーザに固有の個人情報を印字（印刷、刻印）し、印字済みのカードを発行する（例えば、特許文献１参照。）。
【特許文献１】特開２００３−１５０３４６号公報
【発明の開示】
【発明が解決しようとする課題】
【０００３】
ところで、上述のカード発行システムでは、各カードをカード発行装置のカードホルダーに種類別に分別して収納する工程で、カードが収納すべきでないカードホルダーに誤って収納され、一つのカードホルダーに異なる種類のカードが混入してしまうことがある。しかしながら、従来のカード発行装置では、カード発行時にカードホルダーから引き出されたカードの種類を判別する機能を備えていなかったため、誤った種類のカードにカード番号等の個人情報が印字されることによって、不良品が発行される可能性があった。
【０００４】
本発明の課題は、カードに個人情報を印字する前にカードの種類を判別することによって、カードの誤発行を防止することである。
【課題を解決するための手段】
【０００５】
請求項１に記載の発明は、カードの種類別にカードを収納するカード収納部と、
カードにカード保有者の個人情報を印字するための印字情報を取得する取得手段と、
前記取得手段により取得された印字情報から、カードの種類を抽出する抽出手段と、
前記抽出手段により抽出された種類に対応するカードを前記カード収納部から引き出す引出手段と、
前記引出手段により引き出されたカードの種類を検出する検出手段と、
前記抽出されたカードの種類と、前記検出手段により検出されたカードの種類が等しいか否かを判定する判定手段と、
前記判定手段により、前記抽出されたカードの種類と前記検出されたカードの種類が異なると判定された場合、前記引き出されたカードの取り出しを促すメッセージを通知する通知手段と、
前記判定手段により、前記抽出されたカードの種類と前記検出されたカードの種類が等しいと判定された場合、前記引き出されたカードに対する印字処理を行う印字手段と、
を備えることを特徴としている。
【０００６】
請求項２に記載の発明は、カードの種類別にカードを収納するカード収納部と、
カードにカード保有者の個人情報を印字するための印字情報を取得する取得手段と、
前記取得手段により取得された印字情報から、カードの種類を抽出する抽出手段と、
前記抽出手段により抽出された種類に対応するカードを前記カード収納部から引き出す引出手段と、
前記引出手段により引き出されたカードの種類を検出する検出手段と、
前記抽出されたカードの種類と、前記検出手段により検出されたカードの種類が等しいか否かを判定する判定手段と、
前記判定手段により、前記抽出されたカードの種類と前記検出されたカードの種類が異なると判定された場合、前記引き出されたカードを排出する排出手段と、
前記判定手段により、前記抽出されたカードの種類と前記検出されたカードの種類が等しいと判定された場合、前記引き出されたカードに対する印字処理を行う印字手段と、
を備えることを特徴としている。
【０００７】
請求項３に記載の発明は、カードの種類別にカードを収納するカード収納部と、
カードにカード保有者の個人情報を印字するための印字情報を取得する取得手段と、
前記取得手段により取得された印字情報から、カードの種類を抽出する第１の抽出手段と、
前記第１の抽出手段により抽出された種類に対応するカードを、前記カード収納部からカードの搬送路に引き出す引出手段と、
前記引出手段により引き出されたカードの種類を検出する検出手段と、
前記第１の抽出手段により抽出されたカードの種類と、前記検出手段により検出されたカードの種類が等しいか否かを判定する第１の判定手段と、
前記第１の判定手段により、前記第１の抽出手段により抽出されたカードの種類と、前記検出されたカードの種類が等しいと判定された場合、前記引き出されたカードに対する印字処理を行う印字手段と、
前記第１の判定手段により、前記第１の抽出手段により抽出されたカードの種類と、前記検出されたカードの種類が等しくないと判定された場合、前記引き出されたカードを、前記搬送路上の所定位置に停止させる停止手段と、
前記第１の判定手段により、前記第１の抽出手段により抽出されたカードの種類と、前記検出されたカードの種類が等しくないと判定された場合、前記検出されたカードの種類を示すデータを記憶する記憶手段と、
前記第１の判定手段により、前記第１の抽出手段により抽出されたカードの種類と、前記検出されたカードの種類が等しくないと判定された場合、前記取得手段により次の印字情報を取得し、その取得された印字情報からカードの種類を抽出する第２の抽出手段と、
前記第２の抽出手段により抽出されたカードの種類と、前記記憶手段に記憶されたカードの種類が等しいか否かを判定する第２の判定手段と、
前記第２の判定手段により、前記第２の抽出手段により抽出されたカードの種類と、前記記憶されたカードの種類が等しいと判定された場合、前記所定位置に停止されたカードの搬送を再開する搬送制御手段と、を備え、
前記搬送制御手段によりカードの搬送が再開されると、前記印字手段は、当該カードに対する印字処理を行うことを特徴としている。
【０００８】
請求項４に記載の発明は、請求項３に記載のカード発行装置において、前記第１の判定手段により、前記第１の抽出手段により抽出されたカードの種類と前記検出されたカードの種類が等しくないと判定された場合、前記停止されたカードの停止時間を計時する計時手段と、
前記第２の判定手段により、前記第２の抽出手段により抽出されたカードの種類と、前記記憶されたカードの種類が異なると判定された場合、前記停止時間が予め設定された時間を超えたか否かを判定する停止時間判定手段と、
前記停止時間判定手段により前記停止時間が予め設定された時間を超えたと判定された場合、前記停止中のカードを排出する排出手段と、を備え、
前記停止時間判定手段により前記停止時間が予め設定された時間内であると判定された場合、前記取得手段により次の印字情報が取得され、前記第２の抽出手段、前記第２の判定手段の各処理が繰り返されることを特徴としている。
【０００９】
請求項５に記載の発明は、カードの種類別にカードを収納するカード収納部と、
カードにカード保有者の個人情報を印字するための印字情報を取得する取得手段と、
前記取得手段により取得された印字情報から、カードの種類を抽出する第１の抽出手段と、
前記第１の抽出手段により抽出された種類に対応するカードを、前記カード収納部からカードの搬送路に引き出す引出手段と、
前記引出手段により引き出されたカードの種類を検出する検出手段と、
前記第１の抽出手段により抽出されたカードの種類と、前記検出手段により検出されたカードの種類が等しいか否かを判定する第１の判定手段と、
前記第１の判定手段により、前記第１の抽出手段により抽出されたカードの種類と、前記検出されたカードの種類が等しいと判定された場合、前記引き出されたカードに対する印字処理を行う印字手段と、
前記第１の判定手段により、前記第１の抽出手段により抽出されたカードの種類と、前記検出されたカードの種類が等しくないと判定された場合、前記引き出されたカードを、前記搬送路から離れた所定箇所に退避させる退避手段と、
前記第１の判定手段により、前記第１の抽出手段により抽出されたカードの種類と、前記検出されたカードの種類が等しくないと判定された場合、前記検出されたカードの種類を示すデータを記憶する記憶手段と、
前記第１の判定手段により、前記第１の抽出手段により抽出されたカードの種類と、前記検出されたカードの種類が等しくないと判定された場合、前記取得手段により次の印字情報を取得し、その取得された印字情報からカードの種類を抽出する第２の抽出手段と、
前記第２の抽出手段により抽出されたカードの種類と、前記記憶手段に記憶されたカードの種類が等しいか否かを判定する第２の判定手段と、
前記第２の判定手段により、前記第２の抽出手段により抽出されたカードの種類と、前記記憶されたカードの種類が等しいと判定された場合、前記所定箇所に退避されたカードを前記搬送路上に戻し、当該カードの搬送を再開する搬送制御手段と、を備え、
前記搬送制御手段によりカードの搬送が再開されると、前記印字手段は、当該カードに対する印字処理を行うことを特徴としている。
【００１０】
請求項６に記載の発明は、請求項５に記載のカード発行装置において、前記第１の判定手段により、前記第１の抽出手段により抽出されたカードの種類と前記検出されたカードの種類が等しくないと判定された場合、前記取得手段により次の印字情報が取得され、前記第１の抽出手段、前記引出手段、前記検出手段、前記第１の判定手段、前記印字手段の各処理が繰り返されることを特徴としている。
【００１１】
請求項７に記載の発明は、請求項６に記載のカード発行装置において、前記所定箇所にカードが退避中に、前記印字手段により印字処理されたカードの枚数を計数する計数手段と、
前記所定箇所にカードが退避中に、前記印字手段により印字処理されたカードの枚数が、予め設定された枚数を超えたか否かを判定する第３の判定手段と、
前記第３の判定手段により、前記印字処理されたカードの枚数が予め設定された枚数を超えたと判定された場合、前記所定箇所に退避中のカードを排出する排出手段と、
を備えることを特徴としている。
【００１２】
請求項８に記載の発明は、請求項１〜７の何れか一項に記載のカード発行装置において、前記カード収納部に収納されている各カードにはＩＣメモリが備えられ、当該ＩＣメモリに、予めカードの種類を示す情報が記録されており、前記検出手段は、前記引き出されたカードのＩＣメモリからカードの種類を読み取ることを特徴としている。
【００１３】
請求項９に記載の発明は、請求項８に記載のカード発行装置において、前記検出手段によって、前記引き出されたカードのＩＣメモリからカードの種類を読み取った後、当該ＩＣメモリに記録されたカードの種類を示す情報を消去する消去手段を備えることを特徴としている。
【００１４】
請求項１０に記載の発明は、カードにカード保有者の個人情報を印字するための印字情報を取得する取得工程と、
前記取得工程において取得された印字情報から、カードの種類を抽出する抽出工程と、
カードの種類別にカードを収納するカード収納部から、前記抽出工程において抽出された種類に対応するカードを引き出す引出工程と、
前記引出工程において引き出されたカードの種類を検出する検出工程と、
前記抽出されたカードの種類と、前記検出工程において検出されたカードの種類が等しいか否かを判定する判定工程と、
前記判定工程において、前記抽出されたカードの種類と前記検出されたカードの種類が異なると判定された場合、前記引き出されたカードの取り出しを促すメッセージを通知する通知工程と、
前記判定工程において、前記抽出されたカードの種類と前記検出されたカードの種類が等しいと判定された場合、前記引き出されたカードに対する印字処理を行う印字工程と、
を含むことを特徴としている。
【００１５】
請求項１１に記載の発明は、カードにカード保有者の個人情報を印字するための印字情報を取得する取得工程と、
前記取得工程において取得された印字情報から、カードの種類を抽出する抽出工程と、
カードの種類別にカードを収納するカード収納部から、前記抽出工程において抽出された種類に対応するカードを引き出す引出工程と、
前記引出工程において引き出されたカードの種類を検出する検出工程と、
前記抽出されたカードの種類と、前記検出工程において検出されたカードの種類が等しいか否かを判定する判定工程と、
前記判定工程において、前記抽出されたカードの種類と前記検出されたカードの種類が異なると判定された場合、前記引き出されたカードを排出する排出工程と、
前記判定工程において、前記抽出されたカードの種類と前記検出されたカードの種類が等しいと判定された場合、前記引き出されたカードに対する印字処理を行う印字工程と、
を含むことを特徴としている。
【００１６】
請求項１２に記載の発明は、カードにカード保有者の個人情報を印字するための印字情報を取得する取得工程と、
前記取得工程において取得された印字情報から、カードの種類を抽出する第１の抽出工程と、
カードの種類別にカードを収納するカード収納部から、前記第１の抽出工程において抽出された種類に対応するカードをカードの搬送路に引き出す引出工程と、
前記引出工程において引き出されたカードの種類を検出する検出工程と、
前記第１の抽出工程において抽出されたカードの種類と、前記検出工程において検出されたカードの種類が等しいか否かを判定する第１の判定工程と、
前記第１の判定工程において、前記第１の抽出工程において抽出されたカードの種類と、前記検出されたカードの種類が等しいと判定された場合、前記引き出されたカードに対する印字処理を行う印字工程と、
前記第１の判定工程において、前記第１の抽出工程において抽出されたカードの種類と、前記検出されたカードの種類が等しくないと判定された場合、前記引き出されたカードを、前記搬送路上の所定位置に停止させる停止工程と、
前記第１の判定工程において、前記第１の抽出工程において抽出されたカードの種類と、前記検出されたカードの種類が等しくないと判定された場合、前記検出されたカードの種類を示すデータを記憶する記憶工程と、
前記第１の判定工程において、前記第１の抽出工程において抽出されたカードの種類と、前記検出されたカードの種類が等しくないと判定された場合、前記取得工程において次の印字情報が取得され、その取得された印字情報からカードの種類を抽出する第２の抽出工程と、
前記第２の抽出工程において抽出されたカードの種類と、前記記憶工程に記憶されたカードの種類が等しいか否かを判定する第２の判定工程と、
前記第２の判定工程において、前記第２の抽出工程において抽出されたカードの種類と、前記記憶されたカードの種類が等しいと判定された場合、前記所定位置に停止されたカードの搬送を再開する搬送制御工程と、を含み、
前記搬送制御工程においてカードの搬送が再開されると、前記印字工程において、当該カードに対する印字処理が行われることを特徴としている。
【００１７】
請求項１３に記載の発明は、請求項１２に記載のカード発行方法において、前記第１の判定工程において、前記第１の抽出工程において抽出されたカードの種類と前記検出されたカードの種類が等しくないと判定された場合、前記停止されたカードの停止時間を計時する計時工程と、
前記第２の判定工程において、前記第２の抽出工程において抽出されたカードの種類と、前記記憶されたカードの種類が異なると判定された場合、前記停止時間が予め設定された時間を超えたか否かを判定する停止時間判定工程と、
前記停止時間判定工程において、前記停止時間が予め設定された時間を超えたと判定された場合、前記停止中のカードを排出する排出工程と、を含み、
前記停止時間判定工程において、前記停止時間が予め設定された時間内であると判定された場合、前記取得工程において次の印字情報が取得され、前記第２の抽出工程、前記第２の判定工程の各処理が繰り返されることを特徴としている。
【００１８】
請求項１４に記載の発明は、カードにカード保有者の個人情報を印字するための印字情報を取得する取得工程と、
前記取得工程において取得された印字情報から、カードの種類を抽出する第１の抽出工程と、
カードの種類別にカードを収納するカード収納部から、前記第１の抽出工程において抽出された種類に対応するカードをカードの搬送路に引き出す引出工程と、
前記引出工程において引き出されたカードの種類を検出する検出工程と、
前記第１の抽出工程において抽出されたカードの種類と、前記検出工程において検出されたカードの種類が等しいか否かを判定する第１の判定工程と、
前記第１の判定工程において、前記第１の抽出工程において抽出されたカードの種類と、前記検出されたカードの種類が等しいと判定された場合、前記引き出されたカードに対する印字処理を行う印字工程と、
前記第１の判定工程において、前記第１の抽出工程において抽出されたカードの種類と、前記検出されたカードの種類が等しくないと判定された場合、前記引き出されたカードを、前記搬送路から離れた所定箇所に退避させる退避工程と、
前記第１の判定工程において、前記第１の抽出工程において抽出されたカードの種類と、前記検出されたカードの種類が等しくないと判定された場合、前記検出されたカードの種類を示すデータを記憶する記憶工程と、
前記第１の判定工程において、前記第１の抽出工程において抽出されたカードの種類と、前記検出されたカードの種類が等しくないと判定された場合、前記取得工程において次の印字情報が取得され、その取得された印字情報からカードの種類を抽出する第２の抽出工程と、
前記第２の抽出工程において抽出されたカードの種類と、前記記憶工程に記憶されたカードの種類が等しいか否かを判定する第２の判定工程と、
前記第２の判定工程において、前記第２の抽出工程において抽出されたカードの種類と、前記記憶されたカードの種類が等しいと判定された場合、前記所定箇所に退避されたカードを前記搬送路上に戻し、当該カードの搬送を再開する搬送制御工程と、を含み、
前記搬送制御工程においてカードの搬送が再開されると、前記印字工程において、当該カードに対する印字処理が行われることを特徴としている。
【００１９】
請求項１５に記載の発明は、請求項１４に記載のカード発行方法において、前記第１の判定工程において、前記第１の抽出工程において抽出されたカードの種類と前記検出されたカードの種類が等しくないと判定された場合、前記取得工程において次の印字情報が取得され、前記第１の抽出工程、前記引出工程、前記検出工程、前記第１の判定工程、前記印字工程の各処理が繰り返されることを特徴としている。
【００２０】
請求項１６に記載の発明は、請求項１５に記載のカード発行方法において、前記所定箇所にカードが退避中に、前記印字工程により印字処理されたカードの枚数を計数する計数工程と、
前記処理箇所にカードが退避中に、前記印字処理されたカードの枚数が、予め設定された枚数を超えたか否かを判定する第３の判定工程と、
前記第３の判定工程において、前記印字処理されたカードの枚数が予め設定された枚数を超えたと判定された場合、前記所定箇所に退避中のカードを排出する排出工程と、
を含むことを特徴としている。
【００２１】
請求項１７に記載の発明は、請求項１０〜１６の何れか一項に記載のカード発行方法において、前記カード収納部に収納されている各カードにはＩＣメモリが備えられ、当該ＩＣメモリに、予めカードの種類を示す情報が記録されており、
前記検出工程において、前記引き出されたカードのＩＣメモリからカードの種類が読み取られることを特徴としている。
【００２２】
請求項１８に記載の発明は、請求項１７に記載のカード発行方法において、前記検出工程において、前記引き出されたカードのＩＣメモリからカードの種類を読み取った後、当該ＩＣメモリに記録されたカードの種類を示す情報を消去する消去工程を含むことを特徴としている。
【発明の効果】
【００２３】
本発明によれば、取得された印字情報に含まれるカードの種類と、カード収納部から引き出されたカードの種類が等しいか否かを判定し、カードの種類が一致するカードのみにカード保有者の個人情報を印字するようにしたことにより、カードの誤発行を防止することができ、カード発行における信頼性を高めることができる。
【００２４】
また、ＩＣメモリを備えるカードの場合、ＩＣメモリにカード種情報を予め記録しておき、ＩＣメモリに記録されたカード種情報を読み取ることにより、カード収納部から引き出されたカードのカード種情報を確実に検出することができる。また、カード種情報の検出後、ＩＣメモリからカード種情報を消去するようにしたことにより、ＩＣメモリを有効利用することができる。
【発明を実施するための最良の形態】
【００２５】
以下、図面を参照して、本発明の実施形態について詳細に説明する。
まず、本実施形態における構成について説明する。
【００２６】
図１は、本実施形態のカード発行システム１００の全体構成を示す図である。カード発行システム１００は、図１に示すように、カード発行装置１、ホストコンピュータ２、登録端末３、撮影装置４により構成され、各装置は、通信ネットワークＮを介して相互に接続されている。ここで、通信ネットワークＮは、専用線を利用して構築された通信ネットワークであり、ＬＡＮ（Local Area Network）、ＷＡＮ（Wide Area Network）等の様々な回線形態を適用することが可能である。
【００２７】
なお、１台のホストコンピュータ２に通信ネットワークＮを介して接続されるカード発行装置１の台数、登録端末３の台数、撮影装置４の台数は、特に限定されない。
【００２８】
また、本実施形態において対象となるカードは、ＩＣメモリを内蔵しているものとする。また、本実施形態では、カードの表面に、氏名、カード番号（会員番号）、有効期限等の個人情報が印字されていない状態のカードを生カードと呼ぶことにする。更に、本実施形態では、生カードのＩＣメモリに、予めカードの種類（以下、カード種という。）を示す情報が記録されているものとする。
【００２９】
図１において、カード発行装置１は、ホストコンピュータ２から取得された印字情報に基づいて、カードの表面に個人情報の一部を印字してカードを発行する装置である。ここで、ホストコンピュータ２から取得される印字情報には、カードに印字すべきカード会員（登録申請人）の個人情報（氏名、カード番号、有効期限、顔画像等）と、カードの種類を示す情報が含まれる。このカード発行装置１を構成する各部の詳細については、後に図３及び図４を参照して説明する。
【００３０】
ホストコンピュータ２は、カード発行システム１００を統括的に制御するコンピュータであり、ＤＢ（Data Base）２ａを備えている。このＤＢ２ａには、カード会員の個人情報（氏名、住所、所属、有効期限、年齢、性別、暗証番号、顔画像等）が、カード番号と対応付けて格納されている。また、ＤＢ２ａには、図２に示すような会員別カード種情報が格納されている。会員別カード種情報は、図２に示すように、カード会員別に、カード番号、カード種、印字データの各項目を対応付けて格納している。印字データ項目は、カードに印字すべきデータを格納する。カードに印字すべきデータには、カード会員の個人情報の一部（氏名、カード番号、有効期限、顔画像等）が含まれる。ホストコンピュータ２は、会員別カード種情報に格納されたカード種、印字データを印字情報としてカード発行装置１に送信し、カードの発行を指示する。
【００３１】
登録端末３は、ＰＣ（Personal Computer）等により構成され、受付係員がキーボードやマウス等の入力デバイスを用いて入力したカードの登録申請人の個人情報（氏名、住所、所属、有効期限、年齢、性別等）を、ホストコンピュータ２に送信し、ホストコンピュータ２に対し、カードの会員登録を要請する。撮影装置４は、カードの登録申請人の顔画像を撮影し、顔画像の電子データをホストコンピュータ２に送信する。
【００３２】
次に、本発明が適用された実施形態のカード発行装置１の構成について説明する。図３に、カード発行装置１の断面図を示す。カード発行装置１の断面図に示された各部は、図４に示すカード発行部１７の構成を示すものである。カード発行装置１は、図３に示すように、カード収納部２０、リーダライタ３０、印字部４０、カード落下部５０、未使用カードスタッカ６０、コーティング部７０、印字済カードスタッカ８０により構成される。
【００３３】
カード収納部２０は、生カードを収納するための３つのホッパーＨＰ１、ＨＰ２、ＨＰ３を有し、各ホッパーには、生カードが印字面を上にして鉛直方向に積み重ねられて収納される。生カードは、種類毎に異なるホッパーに収納される。即ち、ホッパーＨＰ１にはカード種αの生カードが収納され、ホッパーＨＰ２にはカード種βの生カードが収納され、ホッパーＨＰ３にはカード種γの生カードが収納される。カード収納部２０の下方には、搬送ベルトが設けられ、後述の制御部１０（図４参照）の制御信号に従って、ホッパーＨＰ１、ＨＰ２、ＨＰ３の何れか一つから生カード５が１枚搬送ベルト上に引き出され、印字部４０に向けて搬送される。
【００３４】
リーダライタ３０は、カード収納部２０と印字部４０の間に設けられ、カード収納部２０から引き出されて搬送された生カードのＩＣメモリから非接触で電子データを読み取ったり、ＩＣメモリへ非接触で電子データを書き込む装置である。リーダライタ３０は、生カードのＩＣメモリから、カード種情報を読み取り、読み取られたカード種情報を制御部１０に出力する。また、リーダライタ３０は、制御部１０からの制御信号に従って、生カードのＩＣメモリに、カード会員の個人情報（カード番号、氏名、住所、所属、有効期限、年齢、性別等）を書き込む。リーダライタ３０の近傍の、搬送ベルトから離れた箇所には、生カードを一時的に退避させるための退避スペース（図示略）が設けられている。
【００３５】
印字部４０は、Ｙ（Yellow）色画像形成ユニット４１、Ｍ（Magenta）色画像形成ユニット４２、Ｃ（Cyan）色画像形成ユニット４３、Ｋ（blacK）色画像形成ユニット４４を有し、下方に搬送ベルトが設けられている。印字部４０は、搬送ベルトにより図面の左方向に生カードを搬送させ、搬送中の生カードに各画像形成ユニットにより個人情報を印字する。
【００３６】
カード落下部５０は、フラップ５１及びフラップ５２を備え、各フラップは、印字部４０から搬送された印字済みのカードの印字面が上に向けて落下するように動作する。落下した印字済みカードは、コーティング部７０に搬送される。また、カード落下部５０は、未使用カードスタッカ６０に隣接して設けられおり、印字されていない生カードを外部に排出する場合は、フラップ５２の動作によって、生カードを未使用カードスタッカ６０に排出させる。
【００３７】
コーティング部７０は、印字済みカードに、フィルム状の保護シートをコーティングし、印字済カードスタッカ８０に向けて排出する。
【００３８】
図４に、カード発行装置１の内部構成を示す。カード発行装置１は、図４に示すように、制御部１０、入力部１１、表示部１２、通信部１３、ＲＯＭ（Read Only Memory）１４、ＲＡＭ（Random Access Memory）１５、計時部１６からなる制御系と、カード発行部１７により構成されている。
【００３９】
制御部１０は、ＣＰＵ（Central Processing Unit）等により構成され、ＲＯＭ１４に記憶された各種制御プログラムを読み出してＲＡＭ１５内に展開し、それらの制御プログラムに従ってカード発行装置１の各部を制御する。以下、制御部１０の制御動作について説明する。
【００４０】
制御部１０は、ホストコンピュータ２から取得された印字情報に基づいて、カードを発行するカード発行処理１を実行する（図５参照）。このカード発行処理１において、制御部１０は、ホストコンピュータ２から取得された印字情報からカード種情報を抽出し、カード収納部２０に対し、その抽出された種類のカードの引き出しを指示する信号を出力する。また、制御部１０は、カード発行部１７のリーダライタ３０から出力されたカード種情報と、印字情報から抽出されたカード種情報が等しいか否かを判定し、カード種情報が一致した場合、カード発行部１７に対し、カード収納部２０から引き出されたカードへの印字を指示する信号を出力する。カード種情報が一致しない場合、制御部１０は、表示部１２に、カード収納部２０から引き出されたカードの取り出しを促すメッセージを表示させ、カードの取り出しが確認された後、ホストコンピュータ２から次の印字情報を取得する。
【００４１】
入力部１１は、文字入力キー、テンキー、カーソルキー及び各種機能キーを備えたキー入力装置を備え、キー入力装置の操作による操作信号を制御部１０に出力する。なお、入力部１１は、表示部１２の表示画面上を覆うように重畳して設けられたタッチパネルを含む構成としてもよい。タッチパネルは、電磁誘導式、磁気歪式、感圧式等の読み取り原理でタッチ指示された座標を検出し、検出した座標を位置信号として制御部１０に出力する。
【００４２】
表示部１２は、ＬＣＤ（Liquid Crystal Display）、ＣＲＴ（Cathode Ray Tube）等の表示画面を備え、制御部１０から入力される表示信号に従って所要の表示処理を行う。
【００４３】
通信部１３は、ＬＡＮアダプタ等によって構成され、通信ネットワークＮを介して、ホストコンピュータ２等の外部装置と通信を行うための制御を行う。
【００４４】
ＲＯＭ１４は、制御部１０で実行される各種プログラム、これらのプログラムで使用されるデータを格納している。
【００４５】
ＲＡＭ１５は、制御部１０により実行される各種制御プログラムや各種アプリケーションプログラムをプログラム格納エリアに展開する。また、ＲＡＭ１５は、入力データ及び上記の制御処理プログラムの実行時に生じる処理結果等のデータをワークエリアに一時的に格納する。
【００４６】
計時部１６は、制御部１０からの制御信号に従って、生カード５が搬送ベルト上の所定位置３１に停止している時間を計時する。
【００４７】
カード発行部１７は、図３に示したように、カード収納部２０、リーダライタ３０、印字部４０、カード落下部５０、未使用カードスタッカ６０、コーティング部７０、印字済カードスタッカ８０により構成される。カード発行部１７の各部については、上述で説明済みであるため、ここでの説明は省略する。
【００４８】
次に、本実施形態における動作について説明する。
図５のフローチャートを参照して、カード発行装置１により実行されるカード発行処理１について説明する。
【００４９】
まず、ホストコンピュータ２から印字情報が取得され（ステップＳ１００）、その取得された印字情報から、カード種が抽出される（ステップＳ１０１）。ステップＳ１０１で抽出されたカード種をカード種Ａとする。次いで、カード収納部２０の各ホッパーのうち、ステップＳ１０１で抽出されたカード種Ａの生カードを収納するホッパーから生カード５が引き出され、リーダライタ３０に向けて搬送ベルトにより生カード５の搬送が開始される（ステップＳ１０２）。
【００５０】
リーダライタ３０に生カード５が搬送されると、リーダライタ３０により、その生カード５のＩＣメモリからカード種情報が読み出され（ステップＳ１０３）、読み出されたカード種情報が、カード種の検出結果として制御部１０に出力される。生カード５のＩＣメモリから読み出されたカード種情報をカード種Ｂとする。次いで、カード種Ａとカード種Ｂが等しいか否かが判定される（ステップＳ１０４）。
【００５１】
ステップＳ１０４において、カード種Ａとカード種Ｂが異なると判定された場合（ステップＳ１０４；ＮＯ）、生カード５の搬送が停止され（ステップＳ１０５）、表示部１２に、「誤ったカードが混入されていたので取り出して下さい。」というメッセージが表示される（ステップＳ１０６）。次いで、表示部１２に表示されたメッセージに従って、生カード５がカード発行装置１から取り出されたか否かが判定される（ステップＳ１０７）。
【００５２】
ステップＳ１０７において、生カード５が取り出されたと判定された場合（ステップＳ１０７；ＹＥＳ）、ステップＳ１００に戻り、ホストコンピュータ２から次の印字情報が取得され、このステップＳ１００からステップＳ１０４までの処理が繰り返される。
【００５３】
ステップＳ１０４において、カード種Ａとカード種Ｂが等しいと判定された場合（ステップＳ１０４；ＹＥＳ）、リーダライタ３０により、生カード５のＩＣメモリに記録されたカード種情報が消去されるとともに、そのＩＣメモリに、ステップＳ１００で取得された印字情報に基づいて、カード会員の個人情報が書き込まれ（ステップＳ１０８）、生カード５は印字部４０に搬送される。
【００５４】
印字部４０では、搬送された生カードの表面に、ホストコンピュータ２から取得された印字情報に基づいてカード会員の個人情報が印字される（ステップＳ１０９）。そして、印字済みカード５に、コーティング部７０によりコーティング処理が施される。コーティング処理後、印字済みカード５は印字済カードスタッカ８０に排出され、本カード発行処理１が終了する。
【００５５】
以下、図５に示したカード発行処理１の変形例（変形例１〜３）について説明する。
〈変形例１〉
変形例１では、リーダライタ３０から出力されたカード種情報と、印字情報から抽出されたカード種情報が一致しない場合、該当する生カード５を自動的に排出させるというものである。
【００５６】
以下、図６のフローチャートを参照して、カード発行装置１により実行される変形例２のカード発行処理２について説明する。
【００５７】
まず、ホストコンピュータ２から印字情報が取得され（ステップＳ２００）、その取得された印字情報から、カード種が抽出される（ステップＳ２０１）。ステップＳ２０１で抽出されたカード種をカード種Ａとする。次いで、カード収納部２０の各ホッパーのうち、ステップＳ２０１で抽出されたカード種Ａの生カードを収納するホッパーから生カード５が引き出され、リーダライタ３０に向けて搬送ベルトにより生カード５の搬送が開始される（ステップＳ２０２）。
【００５８】
リーダライタ３０に生カード５が搬送されると、リーダライタ３０により、その生カード５のＩＣメモリからカード種情報が読み出され（ステップＳ２０３）、読み出されたカード種情報が、カード種の検出結果として制御部１０に出力される。生カード５のＩＣメモリから読み出されたカード種情報をカード種Ｂとする。次いで、カード種Ａとカード種Ｂが等しいか否かが判定される（ステップＳ２０４）。
【００５９】
ステップＳ２０４において、カード種Ａとカード種Ｂが異なると判定された場合（ステップＳ２０４；ＮＯ）、印字部４０による印字が行われずに、生カード５が未使用カードスタッカ６０に排出される（ステップＳ２０５）。生カード５の排出後、ステップＳ２００に戻り、ステップＳ２００からステップＳ２０４までの処理が繰り返される。
【００６０】
ステップＳ２０４において、カード種Ａとカード種Ｂが等しいと判定された場合（ステップＳ２０４；ＹＥＳ）、リーダライタ３０により、生カード５のＩＣメモリに記録されたカード種情報が消去されるとともに、そのＩＣメモリに、ステップＳ２００で取得された印字情報に基づいて、カード会員の個人情報が書き込まれ（ステップＳ２０６）、生カード５は印字部４０に搬送される。
【００６１】
印字部４０では、搬送された生カード５の表面に、ホストコンピュータ２から取得された印字情報に基づいてカード会員の個人情報が印字される（ステップＳ２０７）。そして、印字済みカード５に、コーティング部７０によりコーティング処理が施される。コーティング処理後、印字済みカード５は印字済カードスタッカ８０に排出され、本カード発行処理２が終了する。
【００６２】
〈変形例２〉
変形例２では、リーダライタ３０から出力されたカード種情報と、印字情報から抽出されたカード種情報が一致しない場合、該当する生カード５を搬送ベルト上で一時停止させ、後に生カード５のカード種情報と一致する印字情報が取得されたとき、先にその印字情報に基づいた印字処理を行うというものである。
【００６３】
以下、図７のフローチャートを参照して、カード発行装置１により実行される変形例２のカード発行処理３について説明する。
【００６４】
まず、ホストコンピュータ２から印字情報が取得され（ステップＳ３００）、その取得された印字情報から、カード種が抽出される（ステップＳ３０１）。ステップＳ３０１で抽出されたカード種をカード種Ａとする。次いで、カード収納部２０の各ホッパーのうち、ステップＳ３０１で抽出されたカード種Ａのカードを収納するホッパーから生カード５が引き出され、リーダライタ３０に向けて搬送ベルトにより生カード５の搬送が開始される（ステップＳ３０２）。
【００６５】
リーダライタ３０に生カード５が搬送されると、リーダライタ３０により、その生カード５のＩＣメモリからカード種情報が読み出され（ステップＳ３０３）、読み出されたカード種情報が、カード種の検出結果として制御部１０に出力される。生カード５のＩＣメモリから読み出されたカード種情報をカード種Ｂとする。次いで、カード種Ａとカード種Ｂが等しいか否かが判定される（ステップＳ３０４）。
【００６６】
ステップＳ３０４において、カード種Ａとカード種Ｂが等しいと判定された場合（ステップＳ３０４；ＹＥＳ）、リーダライタ３０により、生カード５のＩＣメモリに記録されたカード種情報が消去されるとともに、そのＩＣメモリに、ステップＳ３００でホストコンピュータ２から取得された印字情報に基づいて、カード会員の個人情報が書き込まれ（ステップＳ３１３）、生カード５は印字部４０に搬送される。
【００６７】
印字部４０では、搬送された生カード５の表面に、ステップＳ３００でホストコンピュータ２から取得された印字情報に基づいてカード会員の個人情報が印字される（ステップＳ３１４）。そして、印字済みカード５に、コーティング部７０によりコーティング処理が施される。コーティング処理後、印字済みカード５は印字済カードスタッカ８０に排出され、本カード発行処理３が終了する。
【００６８】
ステップＳ３０４において、カード種Ａとカード種Ｂが異なると判定された場合（ステップＳ３０４；ＮＯ）、生カード５が搬送ベルト上の所定位置３１に停止され、計時部１６により、生カード５の停止時間の計時が開始される（ステップＳ３０５）。そして、搬送が停止された生カード５のカード種がカード種ＣとしてＲＡＭ１５に記憶される（ステップＳ３０６）。
【００６９】
次いで、ホストコンピュータ２から次の印字情報が取得され（ステップＳ３０７）、その取得された印字情報から、カード種が抽出される（ステップＳ３０８）。ステップＳ３０８で抽出されたカード種をカード種Ａとする。次いで、ステップＳ３０８で抽出されたカード種Ａと、ＲＡＭ１５に記憶された生カード５のカード種Ｃが等しいか否かが判定される（ステップＳ３０９）。
【００７０】
ステップＳ３０９において、カード種Ａとカード種Ｃが等しいと判定された場合（ステップＳ３０９；ＹＥＳ）、リーダライタ３０により、生カード５のＩＣメモリに記録されたカード種情報が消去されるとともに、そのＩＣメモリに、ステップＳ３０７でホストコンピュータ２から取得された印字情報に基づいて、カード会員の個人情報が書き込まれ（ステップＳ３１３）、停止されていた生カード５は、印字部４０に搬送される。
【００７１】
印字部４０では、搬送された生カード５の表面に、ステップＳ３０７でホストコンピュータ２から取得された印字情報に基づいてカード会員の個人情報が印字される（ステップＳ３１４）。そして、印字済みカード５に、コーティング部７０によりコーティング処理が施される。コーティング処理後、印字済みカード５は印字済カードスタッカ８０に排出され、本カード発行処理３が終了する。
【００７２】
ステップＳ３０９において、カード種Ａとカード種Ｃが異なると判定された場合（ステップＳ３０９；ＮＯ）、生カード５の停止時間が予め設定された時間以内であるか否かが判定される（ステップＳ３１０）。
【００７３】
ステップＳ３１０において、生カード５の停止時間が予め設定された時間を超えていると判定された場合（ステップＳ３１０；ＮＯ）、印字部４０による印字が行われずに、生カード５が未使用カードスタッカ６０に排出される（ステップＳ３１２）。生カード５の排出後、ステップＳ３００に戻り、ステップＳ３００からステップＳ３０４までの処理が繰り返される。
【００７４】
ステップＳ３１０において、生カード５の停止時間が予め設定された時間以内であると判定された場合（ステップＳ３１０；ＹＥＳ）、ホストコンピュータ２から取得された印字情報に基づくカード発行が保留される旨を示す保留情報がホストコンピュータ２に送信され（ステップＳ３１１）、ステップＳ３０７に戻り、ステップＳ３０７からステップＳ３０９の処理が繰り返される。なお、ステップＳ３００及びステップＳ３０７でホストコンピュータ２から取得された印字情報に基づくカード発行は、停止中の生カード５に対する印字処理が終了した後で行われる。
【００７５】
〈変形例３〉
変形例３では、リーダライタ３０から出力されたカード種情報と、印字情報から抽出されたカード種情報が一致しない場合、該当する生カード５を退避スペースに一旦退避させ、後に生カード５のカード種情報と一致する印字情報が取得されたとき、退避された生カード５を搬送ベルト上に戻して、印字処理を行うというものである。
【００７６】
以下、図８のフローチャートを参照して、カード発行装置１により実行される変形例３のカード発行処理４について説明する。
【００７７】
まず、ホストコンピュータ２から印字情報が取得され（ステップＳ４００）、その取得された印字情報から、カード種が抽出される（ステップＳ４０１）。ステップＳ４０１で抽出されたカード種をカード種Ａとする。次いで、カード収納部２０の各ホッパーのうち、ステップＳ４０１で抽出されたカード種Ａのカードを収納するホッパーから生カード５が引き出され、リーダライタ３０に向けて搬送ベルトにより生カード５の搬送が開始される（ステップＳ４０２）。
【００７８】
リーダライタ３０に生カード５が搬送されると、リーダライタ３０により、その生カード５のＩＣメモリからカード種情報が読み出され（ステップＳ４０３）、読み出されたカード種情報が、カード種の検出結果として制御部１０に出力される。生カード５のＩＣメモリから読み出されたカード種情報をカード種Ｂとする。次いで、カード種Ａとカード種Ｂが等しいか否かが判定される（ステップＳ４０４）。
【００７９】
ステップＳ４０４において、カード種Ａとカード種Ｂが等しいと判定された場合（ステップＳ４０４；ＹＥＳ）、リーダライタ３０により、生カード５のＩＣメモリに記録されたカード種情報が消去されるとともに、そのＩＣメモリに、ステップＳ４００でホストコンピュータ２から取得された印字情報に基づいて、カード会員の個人情報が書き込まれ（ステップＳ４１０）、生カード５は印字部４０に搬送される。
【００８０】
印字部４０では、搬送された生カード５の表面に、ステップＳ４００でホストコンピュータ２から取得された印字情報に基づいてカード会員の個人情報が印字される（ステップＳ４１１）。そして、印字済みカード５に、コーティング部７０によりコーティング処理が施される。コーティング処理後、印字済みカード５は印字済カードスタッカ８０に排出され、本カード発行処理４が終了する。
【００８１】
ステップＳ４０４において、カード種Ａとカード種Ｂが異なると判定された場合（ステップＳ４０４；ＮＯ）、生カード５が搬送ベルトから離れた退避スペース（図示略）に退避される（ステップＳ４０５）。そして、退避された生カード５のカード種がカード種ＣとしてＲＡＭ１５に記憶される（ステップＳ４０６）。
【００８２】
次いで、ホストコンピュータ２から次の印字情報が取得され（ステップＳ４０７）、その取得された印字情報から、カード種が抽出される（ステップＳ４０８）。ステップＳ４０８で抽出されたカード種をカード種Ａとする。次いで、ステップＳ４０８で抽出されたカード種Ａと、ＲＡＭ１５に記憶された生カード５のカード種Ｃが等しいか否かが判定される（ステップＳ４０９）。
【００８３】
ステップＳ４０９において、カード種Ａとカード種Ｃが等しいと判定された場合（ステップＳ４０９；ＹＥＳ）、リーダライタ３０により、生カード５のＩＣメモリに記録されたカード種情報が消去されるとともに、そのＩＣメモリに、ステップＳ４０７でホストコンピュータ２から取得された印字情報に基づいて、カード会員の個人情報が書き込まれ（ステップＳ４１０）、退避スペースに退避されていた生カード５は、搬送ベルト上に戻されて、印字部４０に搬送される。
【００８４】
印字部４０では、搬送された生カード５の表面に、ステップＳ４０７でホストコンピュータ２から取得された印字情報に基づいてカード会員の個人情報が印字される（ステップＳ４１１）。そして、印字済みカード５に、コーティング部７０によりコーティング処理が施される。コーティング処理後、印字済みカード５は印字済カードスタッカ８０に排出され、本カード発行処理４が終了する。
【００８５】
ステップＳ４０９において、カード種Ａとカード種Ｃが異なると判定された場合（ステップＳ４０９；ＮＯ）、ステップＳ４００に戻り、ステップＳ４００からステップＳ４０４までの処理が繰り返される。
【００８６】
なお、図８のカード発行処理４において、退避スペースに生カード５が退避中に印字処理されたカードの枚数が予め設定された枚数を超えた場合、退避中のカードを排出するようにしてもよい。具体的には、退避スペースに生カード５が退避中に印字処理されたカードの枚数をカウント（計数）し、生カード５の退避中に印字処理されたカードの枚数が予め設定された枚数（例えば、１０枚）を超えたか否かを判定し、印字処理されたカードの枚数が予め設定された枚数を超えたと判定された場合に、退避スペースに退避中のカードを排出するようにする。
【００８７】
以上のように、本実施形態のカード発行装置１によれば、ホストコンピュータ２から取得された印字情報に含まれるカードの種類と、カード収納部２０から引き出された生カードの種類が等しいか否かを判定し、カード種類が一致する生カードのみにカード会員の個人情報を印字するようにしたことにより、カードの誤発行を防止することができ、カード発行における信頼性を高めることができる。
【００８８】
また、予め生カードのＩＣメモリにカード種情報を記録しておき、ＩＣメモリに記録されたカード種情報をリーダライタ３０によって読み取ることにより、生カードのカード種情報を確実に検出することができる。また、カード種情報の検出後、ＩＣメモリからカード種情報を消去するようにしたことにより、ＩＣメモリを有効利用することができる。
【００８９】
また、変形例２及び変形例３では、ホストコンピュータ２から取得された印字情報に含まれるカードの種類と、カード収納部２０から引き出されたカードの種類が一致しない場合、ＮＧとして生カード５を即時に排出せずに、カード種が一致するときになったときに、印字処理を行うようにしているため、カードのロスを削減させることができる。
【００９０】
なお、本実施形態における記述内容は、本発明の趣旨を逸脱しない範囲で適宜変更可能である。
【００９１】
例えば、上述の実施形態では、各生カードに、カード種情報が記録されたＩＣメモリが備えられ、カード収納部２０から引き出されたカード種をリーダライタ３０によってＩＣメモリから読み出すことによってカード種を検出するようにしたが、カード種の検出手段は、これに限定されない。例えば、生カードの表面に、カードの種類に応じて異なる色の帯が予め印刷するようにして、反射式色センサーを用いてカード表面の色を検出することによってカード種を検出するようにしてもよい。
【図面の簡単な説明】
【００９２】
【図１】カード発行システム１００の全体構成を示す図。
【図２】ホストコンピュータ２のＤＢ２ａに格納される会員別カード種情報のデータ構成を示す図。
【図３】本発明が適用された実施形態のカード発行装置１の断面図。
【図４】本発明が適用された実施形態のカード発行装置１の制御系の主要部構成を示すブロック図。
【図５】本実施形態のカード発行装置１により実行されるカード発行処理１を示すフローチャート。
【図６】カード発行装置１により実行される変形例１のカード発行処理２を示すフローチャート。
【図７】カード発行装置１により実行される変形例２のカード発行処理３を示すフローチャート。
【図８】カード発行装置１により実行される変形例３のカード発行処理４を示すフローチャート。
【符号の説明】
【００９３】
１  カード発行装置
１０  制御部
１１  入力部
１２  表示部
１３  通信部
１４  ＲＯＭ
１５  ＲＡＭ
１６  計時部
１７  カード発行部
２  ホストコンピュータ
２ａ  ＤＢ（Data Base）
３  登録端末
４  撮影装置
２０  カード収納部
３０  リーダライタ
４０  印字部
５０  カード落下部
６０  未使用カードスタッカ
７０  コーティング部
８０  印字済カードスタッカ
１００  カード発行システム
【図１】
2005145007.tif 000003
【図２】
2005145007.tif 000004
【図３】
2005145007.tif 000005
【図４】
2005145007.tif 000006
【図５】
2005145007.tif 000007
【図６】
2005145007.tif 000008
【図７】
2005145007.tif 000009
【図８】
2005145007.tif 000010